(57)【要約】【課題】補助ステップの凹凸部をなくす代わりに、滑り止め材質で形成された滑り止めシートを補助ステップ表面に貼り付けると共に、補助ステップに新しい機能を持たせて他の車種との差別化を図ることを目的とする。【解決手段】ワゴン車のタクシー等の車両に既設された車両ステップと地上面との間に配置される補助ステップであって、該補助ステップ表面の凹凸部をなくして平坦にすると共に、滑り止め材質で形成された滑り止めシートを前記補助ステップ表面に貼り付けたことを特徴とする。【選択図】図３
2019119224.tif 000002
【特許請求の範囲】
【請求項１】
ワゴン車のタクシー等の車両に既設された車両ステップと地上面との間に配置される補助ステップであって、該補助ステップ表面の凹凸部をなくして平坦にすると共に、滑り止め材質で形成された滑り止めシートを前記補助ステップ表面に貼り付けたことを特徴とする車両用補助ステップの滑り止めシート。
【請求項２】
前記滑り止めシートは、印刷文字、図柄が印刷された説明用ボードとしての機能を有することを特徴とする請求項１に記載の車両用補助ステップの滑り止めシート。
【請求項３】
前記滑り止めシートは、社名、宣伝用のキャッチコピーが印刷された宣伝用ボードとしての機能を有することを特徴とする請求項１に記載の車両用補助ステップの滑り止めシート。
【発明の詳細な説明】
【技術分野】
【０００１】
本発明は、ワゴン車のタクシー等の車両に既設された車両ステップと地上面との間に配置される車両用補助ステップに係り、特に補助ステップ表面を全体にわたって平坦な面にすると共に、滑り止め材質で形成された滑り止めシートを該補助ステップ表面に貼り付けた車両用補助ステップの滑り止めシートに関する。
【背景技術】
【０００２】
従来、上述のような車両の乗降口に既設される車両ステップは、地上面との間に乗降に支障を来す程の高低差を有しているため、車両ステップの真下に格納され、ドアの開閉に連動して乗降側である前方へ張り出す補助ステップを設けて乗降時の高低差を解消すると共に、補助ステップの表面に滑り止め用の凹凸部を形成する車両用ステップが知られている（例えば特許文献１参照）。
【先行技術文献】
【特許文献】
【０００３】
【特許文献１】特開２００５−２１２６２５号公報
【発明の概要】
【発明が解決しようとする課題】
【０００４】
しかしながら、特許文献１に記載されている車両用ステップは、凹凸部があるために、つまずく虞があり、また、滑り止め以外の機能を持たせられない問題があった。本発明は、補助ステップの凹凸部をなくす代わりに、滑り止め材質で形成された滑り止めシートを補助ステップ表面に貼り付けると共に、補助ステップに新しい機能を持たせて他の車種との差別化を図ることを目的とする。
【課題を解決するための手段】
【０００５】
上記目的を達成するため、請求項１記載の発明は、ワゴン車のタクシー等の車両に既設された車両ステップと地上面との間に配置される補助ステップであって、該補助ステップ表面の凹凸部をなくして平坦にすると共に、滑り止め材質で形成された滑り止めシートを前記補助ステップ表面に貼り付けたことを特徴とするものである。
【０００６】
また、請求項２記載の発明は、請求項１記載の車両用補助ステップの滑り止めシートであって、滑り止めシートは、印刷文字、図柄が印刷された説明用ボードとしての機能を有することを特徴とするものである。
【０００７】
また、請求項３記載の発明は、請求項１記載の車両用補助ステップの滑り止めシートであって、滑り止めシートは、社名、宣伝用のキャッチコピーが印刷された宣伝用ボードとしての機能を有することを特徴とするものである。
【発明の効果】
【０００８】
本発明による車両用補助ステップの滑り止めシートによれば、ワゴン車のタクシー等の車両に既設された車両ステップと地上面との間に配置される補助ステップ表面の凹凸部をなくして平坦にすると共に、滑り止め材質で形成された滑り止めシートを補助ステップ表面に貼り付けたので、補助ステップの構造が簡単になりコストが安くなると共に滑り止めの効果も維持することが出来る。
【０００９】
また、本発明による車両用補助ステップの滑り止めシートによれば、滑り止めシートは、印刷文字、図柄が印刷された説明用ボードとしての機能を有するので、補助ステップに新しい機能を持たせて他の車種との差別化を図ることが出来る。
【００１０】
さらに、本発明による車両用補助ステップの滑り止めシートによれば、滑り止めシートは、社名、宣伝用のキャッチコピーが印刷された宣伝用ボードとしての機能を有するので、補助ステップに新しい機能を持たせて他の車種との差別化を図ることが出来る。
【図面の簡単な説明】
【００１１】
【図１】本発明である車両用補助ステップを前方へ張り出した状態を示す自動車の側面側の斜視図である。
【図２】車両用補助ステップの平面図である。
【図３】滑り止めシートに（ａ）説明用ボード、（ｂ）宣伝用ボードとしての機能を持たせた説明図である。
【発明を実施するための形態】
【実施例】
【００１２】
本発明の車両用補助ステップの滑り止めシートの実施形態を、添付図面に基づいて説明する。図１は、補助ステップを前方へ張り出した状態を示す自動車の側面側の斜視図であり、１はサイド側に配備されたエアロパーツ、２は前部座席のドア、３は後部座席のスライドドア、４は後部座席の乗降口に既設された車両ステップ、５は後部座席のスライドドア３を開けると、図２に示すように、ドアの開閉に連動して車両ステップ４の真下から前方に張り出す補助ステップ、５ａは補助ステップ表面である。
【００１３】
補助ステップ表面５ａは、従来から備えていた凹凸部をなくし、全体にわたって平坦な面に仕上げてある。６は滑り止め材質で形成された滑り止めシートで、補助ステップ表面５ａに貼り付けてある。滑り止めシート６は、図３（ａ）に示すように、印刷文字７ａ、図柄７ｂが印刷され説明用ボード７としての機能を有する。また、図３（ｂ）に示すように、社名８ａ、宣伝用のキャッチコピー８ｂが印刷され宣伝用ボード８としての機能を有する。
【００１４】
このように補助ステップ表面から凹凸部をなくし、平坦な面に仕上げたので、補助ステップの製造コストを安くすることが出来ると共に、つまずく虞はなくなり、凹凸部の代わりに滑り止め材質で形成された滑り止めシートを補助ステップ表面に貼り付けたので滑り止めの効果も維持することが出来る。
【００１５】
また、滑り止めシートに印刷文字、図柄を印刷して説明用ボードとしての機能を持たせたり、社名、宣伝用のキャッチコピーを印刷して宣伝用ボードとしての機能を持たせて他の車種との差別化を図ることが出来る。特に、ワゴン車のタクシー等の車両の補助ステップに適用すれば、乗客が乗り降りする都度、滑り止めシートに目が届き、宣伝効果を高めることが出来る。
【００１６】
以上説明したように、本発明によれば、ワゴン車のタクシー等の車両に既設された車両ステップと地上面との間に配置される補助ステップであって、該補助ステップ表面の凹凸部をなくして平坦にすると共に、滑り止め材質で形成された滑り止めシートを補助ステップ表面に貼り付けたので、補助ステップの構造が簡単になりコストが安くなると共に滑り止めの効果も維持することが出来る。また、滑り止めシートに印刷文字、図柄を印刷して説明用ボードとしての機能、社名、宣伝用のキャッチコピーを印刷して宣伝用ボードとしての機能を持たせて他の車種との差別化を図ることが出来る。更に、ワゴン車のタクシー等の車両の補助ステップに適用すれば、乗客が乗り降りする都度、滑り止めシートに目が届き、宣伝効果を高めることが出来る。
【符号の説明】
【００１７】
１  サイド側のエアロパーツ
２  前部座席のドア
３  後部座席のスライドドア
４  車両ステップ
５  補助ステップ
５ａ  補助ステップ表面
６  滑り止めシート
７  説明用ボード
７ａ  印刷文字
７ｂ  図柄
８  宣伝用ボード
８ａ  社名
８ｂ  宣伝用のキャッチコピー
【図１】
2019119224.tif 000003
【図２】
2019119224.tif 000004
【図３】
2019119224.tif 000005